【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
複数の収容部に電子部品がそれぞれ保持された複数のテープを並列させて搬送する複数のテープフィーダと、前記複数のテープフィーダで搬送され前記電子部品が取出位置で取り出されたのちの複数の空テープを前記複数のテープフィーダにそれぞれ設けられた空テープ支持面から下方に配置された回収スペースにガイドする空テープガイドとを備えたテープフィーダと空テープガイドの配置構造であって、
前記空テープガイドが、前記複数のテープフィーダの前方に配置され、前記複数の空テープ支持面から送られる複数の空テープを前記回収スペースに導くガイド面と、
前記ガイド面における前記複数の空テープ支持面の延びる前方方向に位置する部分よりも上方位置から下方位置にかけての部分に、前記複数の空テープ支持面の延びる前方方向に位置する部分を避けた所に位置するように間隔を保って横並びに配置された上下方向に延びる複数の凸部とを備え、
前記複数の凸部と前記テープフィーダとの間に前記複数の凸部と間隔をおいて補助面部を設け、さらに、前記補助面部の上方に前記複数の空テープを前記ガイド面と前記補助面部との間の空間に通すための窓部を形成したことを特徴とするテープフィーダと空テープガイドの配置構造。
【請求項２】
前記ガイド面に、縦長の板を平面視がコ字状になるように折り曲げて形成したガイド部を配置することによって前記凸部を形成した請求項１に記載のテープフィーダと空テープガイドの配置構造。
【請求項３】
並列された前記複数のテープフィーダの配置ピッチと、前記複数の凸部の配置ピッチとを一致させた請求項１または２に記載のテープフィーダと空テープガイドの配置構造。
【請求項４】
前記ガイド面を、前記複数のテープフィーダの前方に位置し上下に延びる上部ガイド面と、前記上部ガイド面の下端から前記複数のテープフィーダ側に傾斜して下方に延びる下部ガイド面とで構成し、前記上部ガイド面と前記下部ガイド面とのうちの少なくとも前記上部ガイド面に前記複数の凸部を設けた請求項１ないし３のうちのいずれか一つに記載のテープフィーダと空テープガイドの配置構造。
【請求項５】
前記複数の凸部のうちの隣り合った各一対の凸部の対向面間の距離が前記ガイド面から前記テープフィーダ側に行くほど大きくなるようにした請求項１ないし４のうちのいずれか一つに記載のテープフィーダと空テープガイドの配置構造。
【請求項６】
請求項１ないし５のうちのいずれか一つに記載のテープフィーダと空テープガイドの配置構造が取り付けられた電子部品実装装置。
【請求項７】
実装装置本体と、前記実装装置本体に対して着脱可能な台車とを備えており、請求項１ないし５のうちのいずれか一つに記載のテープフィーダと空テープガイドの配置構造における前記空テープガイドを前記実装装置本体に設け、前記テープフィーダを前記台車に設けた電子部品実装装置。
【請求項８】
請求項１ないし５のうちのいずれか一つに記載のテープフィーダと空テープガイドの配置構造が取り付けられ電子部品装着装置の本体に対して着脱可能になった台車。
【手続補正２】
【補正対象書類名】明細書
【補正対象項目名】０００８
【補正方法】変更
【補正の内容】
【０００８】
前述した目的を達成するため、本発明に係るテープフィーダと空テープガイドの配置構造の構成上の特徴は、複数の収容部に電子部品がそれぞれ保持された複数のテープを並列させて搬送する複数のテープフィーダと、複数のテープフィーダで搬送され電子部品が取出位置で取り出されたのちの複数の空テープを複数のテープフィーダにそれぞれ設けられた空テープ支持面から下方に配置された回収スペースにガイドする空テープガイドとを備えたテープフィーダと空テープガイドの配置構造であって、空テープガイドが、複数のテープフィーダの前方に配置され、複数の空テープ支持面から送られる複数の空テープを回収スペースに導くガイド面と、ガイド面における複数の空テープ支持面の延びる前方方向に位置する部分よりも上方位置から下方位置にかけての部分に、複数の空テープ支持面の延びる前方方向に位置する部分を避けた所に位置するように間隔を保って横並びに配置された上下方向に延びる複数の凸部とを備え、複数の凸部とテープフィーダとの間に複数の凸部と間隔をおいて補助面部を設け、さらに、補助面部の上方に複数の空テープをガイド面と補助面部との間の空間に通すための窓部を形成したことにある。
【手続補正３】
【補正対象書類名】明細書
【補正対象項目名】００１２
【補正方法】変更
【補正の内容】
【００１２】
また、本発明に係るテープフィーダと空テープガイドの配置構造では、凸部をガイド面おける空テープ支持面の延びる前方方向に位置する部分よりも上方位置から下方位置にかけて設けている。これによると、テープフィーダから送り出される空テープがガイド面に到達する前に、確実に隣り合った凸部間に位置するようになるため、テープフィーダが、硬い紙テープ使用のテープフィーダおよび柔らかいエンボステープ使用のテープフィーダのいずれであっても送り出される空テープは横ずれすることなく適正位置に位置するように規制されて下方に屈曲され、さらに下方に導かれるようになる。
【手続補正４】
【補正対象書類名】明細書
【補正対象項目名】００４５
【補正方法】変更
【補正の内容】
【００４５】
なお、ガイド部３６の上側の取付用の穴部３６ｄの位置は、例えば固定具として頭部が突出する平小ねじ、なべ小ねじ、丸小ねじや六角ボルト等を使用する場合、屈曲箇所に配置される場合には、頭部が空のキャリアテープ１８ａの最初の下方への屈曲の邪魔になるので、フィーダ設置部１６に取り付けられたテープフィーダ２０に対し、空テープ支持面２３ｃの先端側の下り傾斜面を、そのままの傾斜角度で前方に延ばしてガイド面部３６ａと交差する部分の高さより、上側の固定具の位置を上方となるようにする。下側の固定具の位置（下側の取付用の穴部３６ｄの位置）は、上部補助面部３２ａの上端より下方となるようにし、固定具の頭部に空のキャリアテープ１８ａの先端が到達し、前方に屈曲しても上部補助面部３２ａの内側面でさらに下方に導かれるようにする。
【手続補正５】
【補正対象書類名】明細書
【補正対象項目名】００４８
【補正方法】変更
【補正の内容】
【００４８】
さらに、搬送路２３ｂの下流側に到達させたテープ１８の先端部において、カバーテープ１８ｂが僅かに剥離されて露出したキャリアテープ１８ａの係合穴１８ｄに、スプロケット２５ｄの上端側のいくつかの爪部を係合させる。以上によりテープフィーダ２０のフィーダ設置部１６への設置前準備が完了する。テープフィーダ２０がフィーダ設置部１６へ設置された状態で、電子部品実装装置１０がプリント基板Ａの実装生産を開始する。収容ボックス２８に収納された制御基板が送出用モータ２５ａと引取用モータ２６ａとを同期させて作動させると、キャリアテープ１８ａは爪部より前方部が前方に送り出され、爪部より後方部が前方に引っ張られるとともに、ダミーのテープを介してカバーテープ１８ｂが、挿通穴２４ｂの上側で後方に挿通穴２４ｂの下側で前方に引っ張られるので、リール４５ａからテープ１８が順次繰り出される。
【手続補正６】
【補正対象書類名】明細書
【補正対象項目名】００６４
【補正方法】変更
【補正の内容】
【００６４】
（第３実施形態）
図７は本発明の第３実施形態に係るテープフィーダと空テープガイドの配置構造を備えた電子部品実装装置５０も示している。図７中の各空テープガイド３０は実装装置本体５０ａに設置固定されるのではなく、それぞれ各台車５２に設置固定されている。この電子部品実装装置５０のそれ以外の部分の構成については、前述した電子部品実装装置１０と同一である。したがって、同一部分に同一符号を記して説明は省略する。
【手続補正７】
【補正対象書類名】明細書
【補正対象項目名】００７０
【補正方法】変更
【補正の内容】
【００７０】
なおさらに、基面部３１をガラス繊維を充填した樹脂で成形したもととしたものとしても良い。この場合は、ガイド面部３６ａ、凸部形成片３６ｂ，３６ｃも全て基面部３１の一部として一体成形したものとする。そして、隣接するキャリアテープ１８ａが絡まるのを防止する凸部は、ガイド部取付部３１ａから下部ガイド面部３１ｂにかけてのガイド面部の全長に渡って成形するようにすると、キャリアテープ１８ａの下方への屈曲に際して隣接するキャリアテープ１８ａが絡まるのを防止するのみでなく、空テープガイド３０の下端開放口近傍でキャリアテープ１８ａが絡まるのを防止するので、カッタ３８が無くても円滑に回収箱へキャリアテープ１８ａをガイドすることができる。
【手続補正８】
【補正対象書類名】明細書
【補正対象項目名】００７２
【補正方法】変更
【補正の内容】
【００７２】
さらにまた、ガイド部３６のガイド部取付部３１ａへの固定具として、例えば皿小ねじを使用し、頭部がガイド面部３６ａの表面より突出しないようにすれば、上下の固定具の位置、すなわち取付用の穴部３６ｄの位置は、特に規制されることはない。ガイド部３６のガイド部取付部３１ａへの固定方法としてスポット溶接を採用する場合も同様、溶接箇所は特に規制されることはない。
【手続補正９】
【補正対象書類名】図面
【補正対象項目名】図３
【補正方法】変更
【補正の内容】
【図３】
2011071257.tif 000001